(57)【要約】  【課題】製造コストが安く、さびの問題がなく、重量が軽い排水溝用ふた部材の提供。  【解決手段】金属板を曲げ加工してなり、排水溝を被覆する主面と、前記主面の両端部から垂直に曲げ加工されてなる対向する１組の側面とを有し、前記主面に複数個のバーリング孔を有し、前記側面に孔部を有する本体と；金属板を曲げ加工してなり、前記本体の対向する前記側面間と同じ長さの支持面と、前記支持面の両端部から垂直に曲げ加工してなり、孔部を有する対向する１組の固定面とを有し、前記本体の前記側面間に挿入される補強部材とを具備し、前記本体と前記補強部材とが、溶接により固定されている排水溝用ふた部材。【選択図】図１
2005344372.tif 000002
【特許請求の範囲】
【請求項１】
金属板を曲げ加工してなり、排水溝を被覆する主面と、前記主面の両端部から垂直に曲げ加工されてなる対向する１組の側面とを有し、前記主面に複数個のバーリング孔を有し、前記側面に孔部を有する本体と；
金属板を曲げ加工してなり、前記本体の対向する前記側面間と同じ長さの支持面と、前記支持面の両端部から垂直に曲げ加工してなり、孔部を有する対向する１組の固定面とを有し、前記本体の前記側面間に挿入される補強部材と
を具備し、
前記本体と前記補強部材とが、溶接により固定されている排水溝用ふた部材。
【請求項２】
少なくとも２個の前記補強部材が、前記本体の曲げ加工されてない両端部に、挿入されている請求項１に記載の排水溝用ふた部材。
【請求項３】
前記複数個のバーリング孔が、前記主面と前記側面との折り曲げ線と垂直方向に延在する長孔であり、かつ、前記主面と前記側面との折り曲げ線と同方向に配列されてなり、前記バーリング孔のフランジ部が、前記主面と前記側面との折り曲げ線と垂直方向に延在する、請求項１または２に記載の排水溝用ふた部材。
【請求項４】
請求項１〜３のいずれかに記載の排水溝用ふた部材の２個以上を、前記本体の前記側面同士が接触するように隣接させ、連結させてなる排水溝用ふたであって、
固定部材が、隣接する前記排水溝用ふた部材の２個の本体の孔部と２個の補強部材の孔部とに挿通されて、前記２個の本体と前記２個の補強部材とを固定することにより、隣接する前記排水溝用ふた部材を連結する排水溝用ふた。
【発明の詳細な説明】
【技術分野】
【０００１】
本発明は、排水溝に用いられる排水溝用ふた部材およびそれを用いた排水溝用ふたに関する。
【背景技術】
【０００２】
従来、側溝等の排水溝に用いられる排水溝用ふたとして、グレーチングが一般的に用いられている。図６は、従来の排水溝用ふたの一例の一部を示す斜視図である。図６に示されるように、従来の排水溝用ふた５０は、複数本の平鋼またはＩ型鋼（アイバー）５２を立てて等間隔に並べ、その上に、これらと直交するように、複数本のスクリューバー（角鋼にひねりを入れて得られるバー）５４を置き、平鋼またはＩ型鋼５２とスクリューバー５４との接点のすべてを溶接することにより得られるグレーチングからなる。
【０００３】
しかしながら、このグレーチングからなる排水溝用ふた５０は、製造時に多数箇所の溶接工程を必要とするため、製造コストが高くなるという問題を有している。また、溶接工程の際には、前処理としてめっきが必要であるが、このめっき時に気泡が生じ、さびの原因となり、美観を損ねるという問題を有している。更に、排水溝用ふた５０を十分な強度にするためには、重量が重くなってしまうという問題も有している。
【発明の開示】
【発明が解決しようとする課題】
【０００４】
したがって、本発明は、製造コストが安く、さびの問題がなく、重量が軽い排水溝用ふた部材およびそれを用いた排水溝用ふたを提供することを課題とする。
【課題を解決するための手段】
【０００５】
本発明者は、上記課題を解決すべく、鋭意研究した結果、グレーチングの代わりに、１枚の金属板を加工して得られる断面Ｃ字型の材料（例えば、リップ溝形鋼）の主面にバーリング加工によりフランジを有する孔（バーリング孔）を設けた本体と、これを補強する補強部材とを有する排水溝用ふた部材、または、それを２個以上連結させてなる排水溝用ふたを用いると、製造コストが安く、さびの問題がなく、重量が軽くなることを見出し、本発明を完成させた。
【０００６】
即ち、本発明は、以下の（１）〜（４）を提供する。
【０００７】
（１）金属板を曲げ加工してなり、排水溝を被覆する主面と、前記主面の両端部から垂直に曲げ加工されてなる対向する１組の側面とを有し、前記主面に複数個のバーリング孔を有し、前記側面に孔部を有する本体と；
金属板を曲げ加工してなり、前記本体の対向する前記側面間と同じ長さの支持面と、前記支持面の両端部から垂直に曲げ加工してなり、孔部を有する対向する１組の固定面とを有し、前記本体の前記側面間に挿入される補強部材と
を具備し、
前記本体と前記補強部材とが、溶接により固定されている排水溝用ふた部材。
【０００８】
（２）少なくとも２個の前記補強部材が、前記本体の曲げ加工されてない両端部に、挿入されている上記（１）に記載の排水溝用ふた部材。
【０００９】
（３）前記複数個のバーリング孔が、前記主面と前記側面との折り曲げ線と垂直方向に延在する長孔であり、かつ、前記主面と前記側面との折り曲げ線と同方向に配列されてなり、前記バーリング孔のフランジ部が、前記主面と前記側面との折り曲げ線と垂直方向に延在する、上記（１）または（２）に記載の排水溝用ふた部材。
【００１０】
（４）上記（１）〜（３）のいずれかに記載の排水溝用ふた部材の２個以上を、前記本体の前記側面同士が接触するように隣接させ、連結させてなる排水溝用ふたであって、
固定部材が、隣接する前記排水溝用ふた部材の２個の本体の孔部と２個の補強部材の孔部とに挿通されて、前記２個の本体と前記２個の補強部材とを固定することにより、隣接する前記排水溝用ふた部材を連結する排水溝用ふた。
【発明の効果】
【００１１】
本発明の排水溝用ふた部材は、製造コストが安く、さびの問題がなく、重量が軽いため、広範な用途に好適に用いられる。
また、本発明の排水溝用ふたは、上記の点に加え、運びやすい点で、特に、排水溝の被覆面積が大きい場合に、好適である。
【発明を実施するための最良の形態】
【００１２】
以下、本発明の排水溝用ふた部材および排水溝用ふたを添付図面に示す好適実施形態に基づいて詳細に説明する。
＜排水溝用ふた部材＞
初めに、本発明の排水溝用ふた部材について説明する。図１に、本発明の排水溝用ふた部材の一実施形態の模式的な斜視図を示す。図１に示される排水溝用ふた部材１０は、本体１２と、本体１２に勘合される補強部材１４とを有する。
【００１３】
図示例の本体１２は、主面１８と、１組の側面２０と、１組の載置面２２とを有する。主面１８は、排水溝用ふたに用いられた場合、排水溝を被覆する面である。主面１８には、複数個のバーリング孔２４が設けられている。
複数個のバーリング孔２４は、その形状、大きさ、数、配列、フランジ部の位置等を特に限定されないが、図１に示されるように、主面１２と側面１４との折り曲げ線と垂直方向（図１中、矢印Ｘ方向）に延在する長孔であるのが好ましく、また、主面１２と側面１４との折り曲げ線と同方向（図１中、矢印Ｙ方向）に配列されているのが好ましい。
また、バーリング孔２４のフランジ部２６は、図１に示されるように、主面１２と側面１４との折り曲げ線と垂直方向（図１中、矢印Ｘ方向）に延在しているのが好ましい。このように、バーリング孔２４のフランジ部２６が主面１２と側面１４との折り曲げ線と垂直方向に延在していると、図１中、上からの荷重に対して抵抗する強度が強くなる。
【００１４】
主面１８においては、滑り止めのために、バーリング孔２４以外の部分に、複数個の突起部が設けられていてもよい。
図２は、主面に複数個の突起部を有する本体の一例の模式的な斜視図である。図２に示されるように、本体１２′は、主面１８′に複数個の突起部２７を有している。突起部２７の形状、大きさ、数、配列等は、特に限定されない。
なお、図１においては、バーリング孔２４のフランジ部２６が本体１２の内側向き（図１中、下向き）に突出しているが、その一部または全部が外側向き（図１中、上向き）に突出している場合には、それによっても滑り止めの効果を得ることができる。
【００１５】
側面２０は、主面１８の両端部から垂直に曲げ加工されてなる対向する１組の面である。図１に示されるように、側面２０には後述する固定部材４２を挿通させるための孔部２８が設けられている。
孔部２８は、その形状、大きさ、数、配列等を特に限定されないが、図１に示されるように、本体１２の曲げ加工されてない両端部の付近に設けられているのが好ましい。
【００１６】
図示例における載置面２２は、側面２０の端部から、主面１８から側面２０を曲げたのと同じ曲げ方向に、垂直に曲げ加工されてなる１組の面であり、二つの載置面２２は同一平面内に存在する。
載置面２２は、排水溝用ふたに用いられた場合、排水溝のふた載置用段差に載置される。
なお、載置面２２は、本発明において必須の構成要素ではないが、載置面２２を有していると、本発明の排水溝用ふたを排水溝のふた載置用段差に載置した際に安定する。載置面２２を有しない場合は、側面２０の端部が、排水溝のふた載置用段差に載置される。
また、後述するように、本発明の排水溝用ふた部材の２個以上を連結させて本発明の排水溝用ふたとして用いる場合には、載置面は、排水溝のふた載置用段差に載置される、両端の排水溝用ふた部材の外側の側面にのみあれば、その効果が得られる。
【００１７】
本体１２の材料は、金属板であれば特に限定されず、例えば、構造用鋼板、普通鋼板、亜鉛鉄板、各種表面処理鋼板、ステンレス鋼板、アルミニウム板、銅板、黄銅（真鍮）板等の１種の金属元素のみを実質的に含有する金属板または２種以上の金属元素を含有する合金板が挙げられる。
【００１８】
本体１２は、防錆処理を施されているのが好ましい。防錆処理としては、例えば、めっき、焼付塗装、各種樹脂コーティングが挙げられる。
【００１９】
めっきを施す場合、めっきにより生じた気泡により、本体１２と補強部材１４とが溶接された部分でさびが生じることがあるが、本発明の排水溝用ふた部材１０を排水溝に用いたときに、溶接された部分にさびが生じても外からは見えないため、美観を損ねるという問題はない。
めっきの方法としては、特に限定されず、金属板の材質に応じて、従来公知の方法を用いることができる。めっきは、本体１２および補強部材１４にバーリング孔２４ならびに孔部２８および３４を設けた後に施す「あとめっき」としてもよいし、設ける前の金属板にあらかじめめっきを施す「プレめっき」としてもよいが、溶接性に優れる点で、あとめっきが好ましい。
具体的には、本体１２および補強部材１４に、ドブめっきと称される溶融亜鉛めっきを施す方法が適に例示される。
【００２０】
本体１２は、金属板を曲げ加工して製造される。例えば、矩形の鋼を曲げ加工して得られるリップ溝形鋼を用いて製造することができる。具体的には、矩形の鋼を曲げ加工して、主面と１組の側面と１組の載置面とを有する断面Ｃ字型の材料とした後、バーリング加工（フランジ加工）を施して、フランジを有する孔であるバーリング孔を形成させる。また、金属板にバーリング孔を形成させた後に曲げ加工を施してもよい。
【００２１】
本体１２の製造方法の好ましい態様を以下に具体的に説明する。
まず、平板状の金属板に、所望によりエンボス加工を施して突起を設けた後、バーリング孔２４および孔部２８およびを設ける。ここで、バーリング孔２４は、例えば、金属板に二つの孔（例えば、円形の孔）を設け、その二つの孔の間に直線状の切れ目を入れ、その後、ダイにより切れ目部分を押し出すことにより設けることができる。
ついで、曲げ加工を施して、側面２０および所望により載置面２２を形成させ、本体１２を得ることができる。
【００２２】
補強部材１４は、支持面３０と、１組の固定面３２とを有する。支持面３０は、図１に示されるように、矢印Ｘ方向の長さが、本体１２の対向する側面２０の距離と同じ長さである。支持面３０は、本体１２の対向する側面２０を支持し、本発明の排水溝用ふた部材１０の強度、特に図１中、上からの荷重に対して抵抗する強度を向上させる。
【００２３】
固定面３２は、支持面３０の両端部から垂直に曲げ加工されてなる対向する１組の面である。固定面３２は、本体１２と補強部材１４との固定に用いられる。
図１に示されるように、固定面３２には固定部材４２を挿通させるための孔部３４が設けられている。
孔部３４は、その形状、大きさ、数、配列等を特に限定されない。
【００２４】
補強部材１４の材料および防錆処理については、上述した本体１２に用いられる材料と同様である。
補強部材１４は、金属板を曲げ加工して製造される。
【００２５】
本発明の排水溝用ふた部材１０においては、本体１２と補強部材１４とが、溶接により固定されている。具体的には、補強部材１４が本体１２の対向する側面２０の間に挿入され（図１参照。）、本体１２の側面２０の内側と、補強部材１４の固定面３２の外側とが接触する部分において、溶接が施される。
溶接の方法は、特に限定されず、従来公知の方法、例えば、スポット溶接、ティグ溶接を用いることができる。本発明の排水溝用ふた部材１０は、溶接される箇所が少ないために、製造コストを低くすることができる。
【００２６】
本発明の排水溝用ふた部材１０においては、図１に示されるように、少なくとも２個の補強部材１４が、本体１２の曲げ加工されてない両端部（図１中、手前の端部および奥の端部）に、挿入されているのが好ましい。これにより、両端部の強度を向上させることができる。
この場合、両端部に挿入された補強部材１４においては、その支持面３０と固定面３２との折り曲げ線と同方向（図１中、矢印Ｚ方向）の長さが、本体１２の内側の主面１８と側面２０との折り曲げ線と垂直方向（図１中、矢印Ｚ方向）の長さと同じであるのが好ましい。補強部材１４の矢印Ｚ方向の長さ（少なくとも固定面２８の矢印Ｚ方向の長さ）と本体１２の内側の矢印Ｚ方向の長さが同じであると、本発明の排水溝用ふた部材１０の強度、特に図１中、上からの荷重に対して抵抗する強度が強くなる。
また、本発明においては、本体１２の両端部以外の場所、例えば、中央部に補強部材を有していてもよい。これにより、中央部の強度を向上させることができる。
【００２７】
本発明の排水溝用ふた部材１０は、１個で排水溝用ふたとして用いることもでき、また、２個以上を連結させて、後述する本発明の排水溝用ふたとして用いることもできる。
【００２８】
＜排水溝用ふた＞
つぎに、本発明の排水溝用ふたについて説明する。図３は、本発明の排水溝用ふたの一実施形態の模式的な斜視図である。図３に示されるふた４０は、上述した本発明の排水溝用ふた部材１０の２個を、本体１２の側面２０同士が接触するように隣接させ、連結させてなる。
具体的には、固定部材４２が、隣接する排水溝用ふた部材１０の２個の本体１２の孔部２８と２個の補強部材１４の孔部３４とに挿通されて、２個の本体１２と２個の補強部材１４とを固定することにより、隣接する排水溝用ふた部材１０を連結している。
固定部材４２は、特に限定されず、例えば、図３に示されるようなボルトとナット、隣接する排水溝用ふた部材１０の２個以上を貫通するパイプまたは棒鋼が挙げられる。
【００２９】
また、上述した固定部材４２以外にも、本発明の排水溝用ふた部材１０の２個を固定する固定手段を有するのが、強度向上の点で好ましい。そのような固定手段としては、例えば、以下に説明する止め金具および端部構造が挙げられる。これらの固定手段は２種以上を組み合わせて用いてもよい。
【００３０】
図４は、止め金具の好適な具体例を示す模式図である。図４（Ａ）は、止め金具の斜視図であり、図４（Ｂ）は止め金具の平面図であり、図４（Ｃ）は、止め金具の使用状態を説明する断面図である。
図４（Ａ）および図４（Ｂ）に示される止め金具４４は、ほぼＨ型の金属板の４本の足部４６を曲げ加工した後、各足部４６に曲げ加工の内側に突出するツメ部４８を設けて得られる。ツメ部４８は、例えば、足４６の内部において、三方に切れ目を入れ、内側に押し出すことにより得ることができる。
止め金具４４の使用の際は、図４（Ｃ）に示されるように、止め金具４４を２個の本体１２の間に、各足部４６がバーリング孔の内側に入り、各ツメ部４８がフランジ部２６の端部２６ａで係止されるようにはめ込む。このように使用するため、止め金具４４は、ある程度の弾性を有するのが好ましい。
上述した止め金具は、施工が容易である点で、好適に用いられる。
【００３１】
図５は、固定手段として用いられる端部構造の好適な具体例を示す模式的な断面図である。
図５においては、本体１２において、側面がコの字型に曲げ加工されており、外側に曲げ加工された側面２０ａと内側に曲げ加工された側面２０ｂとが互いに嵌合する端部構造となっている。
この端部構造は、施工が容易である点で、好適に用いられる。
【００３２】
図３においては、本発明の排水溝用ふた４０は、本発明の排水溝用ふた部材１０が２個連結されているが、連結される本発明の排水溝用ふた１０の個数は２個以上であれば特に限定されない。例えば、排水溝の大きさに応じて、２個、３個、４個、５個とすることができる。
本発明の排水溝用ふた部材１０を３個以上連結させる場合には、隣接する２個同士の排水溝用ふた部材１０のそれぞれを固定する固定部材を用いてもよく、３個以上の排水溝用ふた部材１０を固定する固定部材を用いてもよく、両者を併用してもよい。
３個以上の排水溝用ふた部材１０を一度に固定する固定部材としては、例えば、３個以上の排水溝用ふた部材１０の孔部２８および３４を貫通する長さの棒鋼またはパイプ（管材）と、ナットとの組み合わせが挙げられる。
【００３３】
本発明の排水溝用ふたの用途は、特に限定されず、道路の側溝、集中桝等の排水溝に用いることができる。
本発明の排水溝用ふたは、使用前にあらかじめ組み立てておいてもよく、使用時に施工現場で組み立ててもよい。使用時に施工現場で組み立てる場合、本発明の排水溝用ふた部材と固定部材とに分けて、小さく、軽くした状態で運び、かつ、施工することができる点で、好適である。これは、特に、排水溝の被覆面積が大きい場合、即ち、排水溝用ふたが大きく重くなった場合に有利である。
【図面の簡単な説明】
【００３４】
【図１】本発明の排水溝用ふた部材の一実施形態の模式的な斜視図である。
【図２】主面に複数個の突起部を有する本体の一例の模式的な斜視図である。
【図３】本発明の排水溝用ふたの一実施形態の模式的な斜視図である。
【図４】止め金具の好適な具体例を示す模式図である。
【図５】固定手段として用いられる端部構造の好適な具体例を示す模式的な断面図である。
【図６】従来の排水溝用ふたの一例の一部を示す斜視図である。
【符号の説明】
【００３５】
１０  排水溝用ふた部材
１２、１２′  本体
１４  補強部材
１８、１８′  主面
２０  側面
２２  載置面
２４  バーリング孔
２６  フランジ部
２６ａ  フランジ部の端部
２７  突起部
２８、３４  孔部
３０  支持面
３２  固定面
４０  排水溝用ふた
４２  固定部材
４４  止め金具
４６  足部
４８  ツメ部
５０  従来の排水溝用ふた
５２  Ｉ型鋼（アイバー）
５４  スクリューバー
【図１】
2005344372.tif 000003
【図２】
2005344372.tif 000004
【図３】
2005344372.tif 000005
【図４】
2005344372.tif 000006
【図５】
2005344372.tif 000007
【図６】
2005344372.tif 000008